(57)【特許請求の範囲】
【請求項１】
装置本体と、
前記装置本体に支持され、シートを積載する積載部と、
前記積載部に積載されたシートを給送する給送部と、
前記給送部によって給送されたシートに画像を形成する画像形成部と、
前記装置本体を設置面に対して空隙を存して支持する支持部と、
前記空隙に配置されるように前記装置本体に着脱可能に支持され、前記積載部に積載されたシートを加熱する加熱装置と、を備えた、
ことを特徴とする画像形成装置。
【請求項２】
前記装置本体の底面は、前記空隙に連通する開口部を有し、
前記加熱装置は、前記開口部に係合する係合部を有する、
ことを特徴とする請求項１に記載の画像形成装置。
【請求項３】
前記加熱装置は、前記装置本体に装着されることで、前記開口部を覆う、
ことを特徴とする請求項２に記載の画像形成装置。
【請求項４】
前記加熱装置は、熱源と、前記熱源を保持する保持部材と、を有し、
前記係合部は、前記保持部材に形成される第１の係合部と、前記第１の係合部とは異なる位置に設けられた第２の係合部と、を有する、
ことを特徴とする請求項２又は３に記載の画像形成装置。
【請求項５】
前記第２の係合部は、前記保持部材とは別部材から構成され、前記保持部材に対して移動可能な係合部材を有する、
ことを特徴とする請求項４に記載の画像形成装置。
【請求項６】
前記係合部材は、前記装置本体及び前記保持部材に係合し、かつ前記装置本体の外方から取り付け可能な締結部材である、
ことを特徴とする請求項５に記載の画像形成装置。
【請求項７】
前記保持部材は、前記積載部が前記装置本体に装着された状態で外方に露出し、かつ前記締結部材が係合可能な被係合部を有している、
ことを特徴とする請求項６に記載の画像形成装置。
【請求項８】
前記加熱装置は、前記加熱装置が前記装置本体に装着された状態で、前記装置本体から電力が供給される被給電端子を有する、
ことを特徴とする請求項１乃至７のいずれか１項に記載の画像形成装置。
【請求項９】
筐体と、
前記筐体に着脱可能であり、シートを積載する積載部と、
前記積載部に積載されたシートを給送する給送部と、
前記筐体を設置面に対して空隙を存して支持する支持部と、
前記空隙に配置されるように前記筐体に着脱可能に支持され、前記積載部に積載されたシートを加熱する加熱装置と、を備えた、
ことを特徴とするシート給送装置。
【請求項１０】
前記筐体の底面は、前記空隙に連通する開口部を有し、
前記加熱装置は、前記開口部に係合する係合部を有する、
ことを特徴とする請求項９に記載のシート給送装置。
【請求項１１】
前記加熱装置は、前記筐体に装着されることで、前記開口部を覆う、
ことを特徴とする請求項１０に記載のシート給送装置。
【請求項１２】
前記加熱装置は、熱源と、前記熱源を保持する保持部材と、を有し、
前記係合部は、前記保持部材に形成される第１の係合部と、前記第１の係合部とは異なる位置に設けられた第２の係合部と、を有する、
ことを特徴とする請求項１０又は１１に記載のシート給送装置。
【請求項１３】
前記第２の係合部は、前記保持部材とは別部材から構成され、前記保持部材に対して移動可能な係合部材を有する、
ことを特徴とする請求項１２に記載のシート給送装置。
【請求項１４】
前記加熱装置は、前記加熱装置が前記筐体に装着された状態で、前記筐体から電力が供給される被給電端子を有する、
ことを特徴とする請求項９乃至１３のいずれか１項に記載のシート給送装置。
【発明の詳細な説明】
【技術分野】
【０００１】
本発明は、シート給送装置並びにシートに画像を形成する画像形成装置に関する。
【背景技術】
【０００２】
従来、電子写真方式の複写機等の画像形成装置は、カセットから給送されたシートに、感光ドラムに形成されたトナー像を転写し、定着装置によってトナー像をシートに定着させている。このような画像形成装置では、カセットに積載されているシートが使用環境等により多量に吸湿すると、シートの体積抵抗率が下がり、トナー像を転写する際に転写不良を起こす場合がある。また、多量に吸湿したシートは、定着装置を通過すると大きなカールが形成される傾向があり、シートの積載性が低下する原因となっている。
【０００３】
そこで、シートを収納するトレイの中にフレックス回路を配置し、フレックス回路を加熱することで、トレイに収納されたシートを乾燥させるプリンタが提案されている（特許文献１参照）。
【０００４】
また、シートカセットにシートを乾燥させるためのカセットヒータを載置し、シートカセットを装置本体に対して装着することで、カセットヒータが装置本体に対する取り付け位置に案内されるプリンタが提案されている（特許文献２参照）。
【先行技術文献】
【特許文献】
【０００５】
【特許文献１】特開２００１−１１４４３９号公報
【特許文献２】特開２０１０−１２２３３４号公報
【発明の概要】
【発明が解決しようとする課題】
【０００６】
しかしながら、特許文献１に記載のフレックス回路や、特許文献２に記載のカセットヒータは、画像形成装置が使用される環境によっては、必ずしも必要であるとは限らない。例えば、低温低湿な設置環境では、シートが多量に吸湿することがないため、フレックス回路やカセットヒータは必要としない。
【０００７】
特許文献１及び２に記載のプリンタは、フレックス回路又はカセットヒータ（加熱装置）が取り外し可能に設けられているが、これらの加熱装置を設置可能な空間をプリンタの内部に予め設けている。このため、加熱装置をプリンタに搭載しない場合には、プリンタ内に不要な空間を生じさせ、装置の大型化を招いてしまう。あるいは、この不要な空間の分だけシートの積載可能枚数を減少させてしまうという問題があった。
【０００８】
そこで、本発明は、画像形成装置のサイズやシートの容量に影響を与えることなく、簡易な作業で加熱装置を取り付け可能なシート給送装置並びに画像形成装置を提供することを目的とする。
【課題を解決するための手段】
【０００９】
本発明は、画像形成装置において、装置本体と、前記装置本体に支持され、シートを積載する積載部と、前記積載部に積載されたシートを給送する給送部と、前記給送部によって給送されたシートに画像を形成する画像形成部と、前記装置本体を設置面に対して空隙を存して支持する支持部と、前記空隙に配置されるように前記装置本体に着脱可能に支持され、前記積載部に積載されたシートを加熱する加熱装置と、を備えた、ことを特徴とする。
また、本発明は、シート給送装置において、筐体と、前記筐体に着脱可能であり、シートを積載する積載部と、前記積載部に積載されたシートを給送する給送部と、前記筐体を設置面に対して空隙を存して支持する支持部と、前記空隙に配置されるように前記筐体に着脱可能に支持され、前記積載部に積載されたシートを加熱する加熱装置と、を備えた、ことを特徴とする。
【発明の効果】
【００１０】
本発明によると、装置のサイズやシートの容量に影響を与えることなく、加熱装置を簡易に取り付けることが出来る。
【図面の簡単な説明】
【００１１】
【図１】第１の実施の形態に係るプリンタ及びフィニッシャを示す全体概略図。
【図２】積載部が装着された状態のシート給送装置を示す斜視図。
【図３】積載部が取り外された状態のシート給送装置を示す斜視図。
【図４】シート加熱装置を示す斜視図。
【図５】シート加熱装置の係合部材を示す拡大斜視図。
【図６】係合部材を移動させた状態を示す拡大斜視図。
【図７】シート加熱装置の装着手順を説明するための側面図。
【図８】シート加熱装置の装着手順を説明するための拡大側面図。
【図９】係合部材を保持部材に固定する動作を示す斜視図。
【図１０】シート加熱装置が装置本体に装着された状態を示す斜視図。
【図１１】第２の実施の形態に係るシート加熱装置を示す斜視図。
【図１２】シート加熱装置の装着手順を説明するための側面図。
【図１３】シート加熱装置が装置本体に装着された状態を示す正面図。
【図１４】第３の実施の形態に係るシート加熱装置を示す斜視図。
【図１５】装置本体に給電端子が設けられたことを示す斜視図。
【発明を実施するための形態】
【００１２】
〔全体構成〕
本発明の実施の形態に係るプリンタ１（画像形成装置）は、電子写真方式のレーザビームプリンタである。プリンタ１は、図１に示すように、シートに画像を形成する画像形成部２と、画像形成部２の上方に配置される画像読取装置３と、画像形成部２の下方に配置されるシート給送装置５０と、を有している。プリンタ１には、画像形成部２から排出されたシートにソート処理、孔明け処理、中綴じ処理等の後処理を行うフィニッシャ４が接続されており、シート給送装置５０の下部には、シート加熱装置１００（加熱装置）が取り付けられている。
【００１３】
シート給送装置５０は、シートを積載する２つの積載部５１ａ，５１ｂを有しており、積載部５１ａに積載されたシートは、ピックアップローラ５２ａ（給送部）によって給送され、分離ローラ対５３ａによって１枚ずつに分離される。積載部５１ｂに積載されたシートは、ピックアップローラ５２ｂ（給送部）によって給送され、分離ローラ対５３ｂによって１枚ずつに分離される。なお、積載部５１ａ，５１ｂは、互いに異なるサイズのシートを積載してもよく、同サイズのシートを積載してもよい。
【００１４】
画像形成部２は、発光部１６を有する光学ユニット１５と、像担持体としての感光ドラム１０と、現像ローラ１２と、感光ドラム１０に形成されたトナー像をシートに転写する転写ローラ１１と、定着部２０と、を有している。なお、本実施の形態では、画像形成部２は、モノクロのトナー像を形成するが、フルカラーのトナー像を形成するように構成してもよい。
【００１５】
プリンタ１に画像形成の指令が出力されると、画像読取装置３又はプリンタ１に接続された外部のコンピュータ等から入力された画像情報に基づいて、画像形成部２による画像形成プロセスが開始される。
【００１６】
光学ユニット１５の発光部１６は、入力された画像情報に基づいて、感光ドラム１０に向けてレーザ光を照射する。このとき感光ドラム１０は、不図示の帯電器により予め帯電されており、レーザ光が照射されることで感光ドラム１０上に静電潜像が形成される。現像ローラ１２が回転しながら、保持しているトナーを感光ドラム１０に付着させると、静電潜像が現像され、感光ドラム１０上にトナー像が形成される。
【００１７】
上述の画像形成プロセスに並行して、シート給送装置５０からシートが給送される。シート給送装置５０から給送されたシートは、複数の搬送ローラ対によって、レジストレーションローラ対１７に搬送される。
【００１８】
レジストレーションローラ対１７により斜行が補正され、所定の搬送タイミングで搬送されたシートには、転写ローラ１１に印加される転写バイアスによって、感光ドラム１０上のトナー像が転写される。トナー像が転写されたシートは、定着部２０において、加熱ローラ２１と加圧ローラ２２によって加熱及び加圧されて、トナーが溶融固着（定着）される。定着部２０を通過したシートは、搬送ローラ対２３によって搬送されつつ、図１の実線に示す位置にある案内部材３１によって排出ローラ対２５へ案内される。シートは、排出ローラ対２５によってフィニッシャ４内の入口ローラ対４１に受け渡され、各種の後処理が施された後、排出トレイ４２に排出される。
【００１９】
シートの両面に画像形成する場合には、第１面（表面）に画像形成が完了し、定着部２０を通過したシートは、図１の破線に示す位置にある案内部材３１によって反転ローラ対３０へと案内される。この時、反転ローラ対３０のシート搬送方向における上流に位置する案内部材３２は、図１の実線で示す位置にある。反転ローラ対３０によって反転搬送路３５へ搬送されたシートの後端が案内部材３２を通過すると、案内部材３２は、図１の破線で示す位置に移動する。そして、反転ローラ対３０が逆転することで、シートは再搬送路３３へ案内され、画像形成部２によって第２面（裏面）に画像が形成される。第２面に画像が形成された後、シートは、上述した片面印刷の場合と同様に処理される。
【００２０】
［筐体の構成］
次いで、プリンタ１の筐体１ａ（装置本体）について説明する。筐体１ａは、図２及び図３に示すように、プリンタ１の設置面に対して空隙Ｓを存して複数の脚部５５ａ，５５ｂ，５５ｃ（支持部）に支持されている。これにより、プリンタ１を移動する際に、脚部５５ａ，５５ｂ，５５ｃ以外のプリンタ１の構造物は、設置面とは接触しない。なお、フィニッシャ４は、排出ローラ対２５と入口ローラ対４１との高さが合うように、複数の脚部５５ｆ，５５ｅによって支持されている（図１参照）。
【００２１】
筐体１ａは、複数の支持レール７０ａ，７０ｂ，７０ｃ、７０ｄを有しており、支持レール７０ａ，７０ｂは、積載部５１ａを筐体１ａから引き出し可能に支持している。支持レール７０ｃ、７０ｄは、積載部５１ｂを筐体１ａから引き出し可能に支持している。また、積載部５１ａ，５１ｂは、筐体１ａから着脱可能な構成となっている。なお、以下では、積載部５１ａ，５１ｂが引き出される方向を「手前」、積載部５１ａ，５１ｂが装着される方向を「奥」と定義する。
【００２２】
筐体１ａの底面５７は、複数のフレーム部材によって構成されており、底面５７には、空隙Ｓに連通する２つの開口部６０ａ,６０ｂが形成されている。これらの開口部６０ａ，６０ｂは、積載部５１ａ，５１ｂが筐体１ａに装着された際に、積載部５１ａ，５１ｂの下方にそれぞれ対応して配置されている。開口部６０ａは、奥フレーム７１ａ及び側方フレーム７２ａ等によって形成されており、開口部６０ｂは、奥フレーム７１ｂ及び側方フレーム７２ｂ等によって形成されている。
【００２３】
［シート加熱装置］
次いで、シート加熱装置１００について説明する。シート加熱装置１００は、図４に示すように、外装を構成する保持部材１０４と、保持部材１０４に支持される熱源としてのヒータ１０１と、ヒータ１０１に電力を供給する電源１０２と、を有している。電源１０２には、外部より電力を取り込むための被給電端子１０３が接続されている。シート加熱装置１００は、筐体１ａに装着された状態で、積載部５１ａ，５１ｂに積載されたシートを加熱し、シートを乾燥させる。
【００２４】
保持部材１０４には、奥側に設けられた立ち上がり面１０４ａの上端から、奥方向に延びる突出部１０５ａ，１０５ｂ（第１の係合部）が形成されている。また、シート加熱装置１００は、保持部材１０４とは別部材から構成され、保持部材１０４に対して着脱可能に取り付けられた係合部材１０６，１０７（第２の係合部）を有している。係合部材１０６，１０７は、突出部１０５ａ，１０５ｂとは異なる位置に設けられている。
【００２５】
次いで、係合部材１０６，１０７の取り付け構成について説明するが、係合部材１０６，１０７は、左右対称に構成されているため、左側の係合部材１０６のみを説明し、右側の係合部材１０７の説明は省略する。保持部材１０４の底面１０４ｂには、図５に示すように、上方に膨出した取付け部１０４ｃが形成されている。係合部材１０６は、クランク形状に形成されており、一端には、取付け部１０４ｃに対してボルト等の締結部材１０８によって締結可能な締結面１０６ａが設けられ、他端には、開口部６０ａに係合可能な係合面１０６ｂが設けられている。係合面１０６ｂは、締結面１０６ａが取付け部１０４ｃに締結部材１０８によって取り付けられた状態では、保持部材１０４よりも上方に突出している。
【００２６】
係合部材１０６は、図６に示すように、締結部材１０８を締結面１０６ａから緩めることで、保持部材１０４に対して移動可能になっている。また、係合部材１０６は、締結部材１０８を締結面１０６ａから取り外すことで、保持部材１０４に対して取り外し可能となっている。なお、突出部１０５ａ，１０５ｂ及び係合部材１０６，１０７は、筐体１ａの底面５７に形成された開口部６０ａ，６０ｂに係合する係合部９０を構成している（図４参照）。
【００２７】
［シート加熱装置の装着手順］
次いで、シート加熱装置１００の装着手順について説明する。本実施の形態のシート加熱装置１００は、プリンタ１の使用環境に応じて、選択的にプリンタ１に着脱可能な構成となっている。シート加熱装置１００を装着する工程は問わず、生産工場において予め組み付けられても、あるいはユーザが既に設置済みのプリンタ１に対し、追加的に装着する形態でも構わない。以下では、ユーザを主体として、プリンタ１にシート加熱装置１００を取り付ける手順について例示する。
【００２８】
まず、ユーザは、積載部５１ａ，５１ｂを筐体１ａから取り外す。次に、ユーザは、図６に示すように、締結部材１０８を緩め又は取り外し、保持部材１０４に対して係合部材１０６を移動可能な状態にする。この時、もう一方の係合部材１０７は、保持部材１０４に対して、不図示のボルト等の締結部材によって固定されている。次に、ユーザは、図７及び図８に示すように、シート加熱装置１００を空隙Ｓに、手前側から奥側に向けて設置面と略平行な方向に挿入し、突出部１０５ａ，１０５ｂを、開口部６０ａ，６０ｂの一部を構成する奥フレーム７１ａ，７１ｂにそれぞれ係合させる。
【００２９】
次に、ユーザは、突出部１０５ａ，１０５ｂを支点にしてシート加熱装置１００の手前側を持ち上げ、固定されている右側の係合部材１０７を側方フレーム７２ｂに係合させる。更に、ユーザは、左側の係合部材１０６の係合面１０６ｂを、側方フレーム７２ａに係合させた状態で、図９に示すように、締結部材１０８によって係合部材１０６を保持部材１０４の取り付け部１０４ｃに締結する。
【００３０】
以上により、図１０に示すように、シート加熱装置１００は空隙Ｓ内に配置された状態で、プリンタ１（シート給送装置５０）に装着される。この時、シート加熱装置１００の底面とプリンタ１の設置面との間には、間隙が存在し、プリンタ１の移動性を損なわないようにシート加熱装置１００の高さが設定されている。
【００３１】
また、シート加熱装置１００が筐体１ａに装着されると、シート加熱装置１００が開口部６０ａ，６０ｂを覆い塞ぐ構成となっているので、シート給送装置５０を略密閉状態にすることが出来る。更に、開口部６０ａ，６０ｂによってシート積載部５１ａ，５１ｂとシート加熱装置１００との間に障害物が無いため、シート積載部５１ａ，５１ｂに積載されているシートを効率的に加熱し、シートの除湿効果を向上することが出来る。
【００３２】
このような構成により、プリンタ１には、予めシート加熱装置１００を装着するための空間を筐体１ａの内部に設ける必要がなく、シート加熱装置１００をプリンタ１に装着しない場合に無駄な空間が生じることを防止できる。これにより、プリンタ１を小型化することができる。
【００３３】
また、シート加熱装置１００は、プリンタ１の筐体である筐体１ａに支持されるので、プリンタ１の荷重を受けることなく、シート加熱装置１００の保持部材１０４を剛性の観点で簡易なものとすることが出来る。
【００３４】
また、プリンタ１の筐体１ａは、複数の脚部５５ａ，５５ｂ，５５ｃによって空隙Ｓを存して支持され、かつシート加熱装置１００は空隙Ｓに配置される。このため、シート加熱装置１００を筐体１ａに装着する際に、重量物であるプリンタ１を移動する必要がなく、シート加熱装置１００を簡易な装着手順で取り付けることが出来る。
【００３５】
なお、本実施の形態では、プリンタ１の上部に画像読取装置を設け、画像形成部２にフィニッシャ４を接続したが、画像読取装置及びフィニッシャ４を省いて構成してもよい。また、本実施の形態では、シートを積載する積載部を２つ設けたが、１つでも３つ以上でもよく、例えば積載部が１つの場合には、積載部を支持する支持レールも一対でよく、筐体１ａの底面５７に設ける開口部も１つでよい。
【００３６】
また、シート加熱装置には、突出部１０５ａ，１０５ｂ及び係合部材１０６，１０７といった開口部６０ａ，６０ｂに係合する構成を複数設けたが、これらの数や形状は自由に設定してもよい。
【００３７】
＜第２の実施の形態＞
次に、本発明の第２の実施の形態について説明するが、第２の実施の形態は、第１の実施の形態のシート加熱装置の取り付け構成が異なるのみであるため、第１の実施の形態と同様の構成については、図示を省略、又は図に同一符号を付して説明する。
【００３８】
シート加熱装置２００（加熱装置）の保持部材１０４は、図１１に示すように、手前側に立ち上がり面１０４ｄを有しており、立ち上がり面１０４ｄの左右端の近傍には、それぞれ突起部２０６ａ，２０６ｂが設けられている。突起部２０６ａ，２０６ｂには、ネジ等の締結部材２０８ａ，２０８ｂを取り付け可能な孔２０９ａ，２０９ｂ（被係合部）がそれぞれ形成されている。
【００３９】
［シート加熱装置の装着手順］
次いで、シート加熱装置２００の装着手順について説明する。本実施の形態においては、第１の実施の形態と異なり、積載部５１ａ，５１ｂを筐体１ａに装着したままシート加熱装置２００を装着する。
【００４０】
まず、ユーザは、第１の実施の形態において図７及び図８で示したように、シート加熱装置２００を空隙Ｓに、手前側から奥側に向けて設置面と略平行な方向に挿入する。そして、ユーザは、突出部１０５ａ，１０５ｂを、開口部６０ａ，６０ｂの一部を構成する奥フレーム７１ａ，７１ｂにそれぞれ係合させる。
【００４１】
次に、ユーザは、シート加熱装置２００の手前側を持ち上げ、図１２に示すように、筐体１ａの底面２５７に形成された孔２６１ａ，２６１ｂに孔２０９ａ，２０９ｂが重なるように、シート加熱装置２００を位置決めする。更に、ユーザは、孔２０９ａ，２６１ａに締結部材２０８ａを挿入すると共に、孔２０９ｂ，２６１ｂに締結部材２０８ｂを挿入し、シート加熱装置２００とプリンタ１とを締結する。
【００４２】
以上により、図１３に示すように、シート加熱装置２００は空隙Ｓ内に配置された状態で、プリンタ１（シート給送装置５０）に装着される。シート加熱装置２００の保持部材１０４に形成された孔２０９ａ，２０９ｂは、積載部５１ａ，５１ｂが筐体１ａに装着された状態で外方に露出しており、筐体１ａの外方から締結部材２０８ａ，２０８ｂを取り付け可能である。このため、積載部５１ａ，５１ｂを筐体１ａに装着した状態のまま、シート加熱装置２００を取り付けることが出来る。
【００４３】
これにより、シート加熱装置２００を取り付けるために積載部５１ａ，５１ｂを取り外す必要がなく、ユーザの手間を低減することが出来る。
【００４４】
＜第３の実施の形態＞
次に、本発明の第３の実施の形態について説明するが、第３の実施の形態は、第１の実施の形態のシート加熱装置に対して電力供給構成が異なるのみであるため、第１の実施の形態と同様の構成については、図示を省略、又は図に同一符号を付して説明する。
【００４５】
シート加熱装置３０１（加熱装置）の保持部材１０４には、図１４に示すように、奥側に立ち上がり面１０４ａが形成されており、立ち上がり面１０４ａには、外部より電力を取り込むための被給電端子３０３が配置されている。
【００４６】
開口部６０ｂの一部を形成する奥フレーム７１ｂには、図１５に示すように、給電端子３１０が配置されている。給電端子３１０は、被給電端子３０３に対応する位置に設けられており、シート加熱装置３０１を筐体１ａに装着すると、被給電端子３０３が給電端子３１０に電気的に接続される。給電端子３１０は、プリンタ１の電源に接続されており、シート加熱装置３０１には、給電端子３１０及び被給電端子３０３を介して、電源から電力が供給される。
【００４７】
これにより、ユーザは、プリンタ１とは別の電力供給源を用意する必要性が無くなり、ユーザの手間を低減することが出来る。また、プリンタ１と電気的な接続を伴うことで、プリンタ１に備えられる不図示の制御部により、シート加熱装置３０１に供給する電力を制御することが可能となる。このため、プリンタ１の使用状況や設置環境に合わせてシート加熱装置３０１へ電力供給することができるため、シート加熱装置３０１の消費電力を低減することができる。
【符号の説明】
【００４８】
１ａ：装置本体／２：画像形成部／５１ａ，５１ｂ：積載部／５２ａ，５２ｂ：給送部（ピックアップローラ）／５５ａ，５５ｂ，５５ｃ：支持部（脚部）／６０ａ，６０ｂ：開口部／９０：係合部／１００，２００，３０１：加熱装置（シート加熱装置）／１０２：熱源（ヒータ）／１０４：保持部材／１０５ａ，１０５ｂ：第１の係合部（突出部）／１０６，１０７：第２の係合部，係合部材／２０９ａ，２０９ｂ：孔（被係合部）／３０３：被給電端子
【図１】
0006711609.tif 000002
【図２】
0006711609.tif 000003
【図３】
0006711609.tif 000004
【図４】
0006711609.tif 000005
【図５】
0006711609.tif 000006
【図６】
0006711609.tif 000007
【図７】
0006711609.tif 000008
【図８】
0006711609.tif 000009
【図９】
0006711609.tif 000010
【図１０】
0006711609.tif 000011
【図１１】
0006711609.tif 000012
【図１２】
0006711609.tif 000013
【図１３】
0006711609.tif 000014
【図１４】
0006711609.tif 000015
【図１５】
0006711609.tif 000016